(57)【特許請求の範囲】
【請求項１】
テスターであるフェイスブラシとその試用に必要なボウルを一まとまりで陳列するツールであって、水平面部と、上記水平面部の奥端縁から上方に延びる起立面部とを備え、下記のフェイスブラシ（Ａ）が、下記の専用の保持ケース（Ｂ）内に着脱自在に保持された状態で、上記ボウルとともに、上記水平面部に所定の配置で載置されており、上記起立面部に、上記フェイスブラシ（Ａ）にかかる商品広告表示がなされていることを特徴とするテスター陳列ツール。
（Ａ）ブラシ毛が植設されたブラシ台部と、根元が細く形成された把手部とを備えたフェイスブラシ。
（Ｂ）有底有天角筒体のプラスチック製ケースであって、手前側面が切り欠かれて開放されており、天井面と底面のそれぞれに、上記手前側面の切欠き部とつながる切欠き穴が設けられ、上記フェイスブラシ（Ａ）の把手部の細径部分を、上記天井面の切欠き穴に横から嵌め込んで係合させることにより、フェイスブラシ（Ａ）を、そのブラシ毛部を宙に浮かせた状態で、下向きに保持できるようになっている保持ケース。
【発明の詳細な説明】
【０００１】
【発明の属する技術分野】
本発明は、フェイスブラシとその試用に必要なボウルを一まとまりで陳列するテスター陳列ツールに関するものである。
【０００２】
【従来の技術】
従来から、化粧品販売では、専門の販売員が、店頭あるいは訪問販売先で、顧客の肌の状態や要望を聞きながらカウンセリングを行ったのち、適宜の化粧品を選んで推奨し販売することが行われている（カウンセリング方式）。また、最近では、販売員との問答やカウンセリングを疎ましく感じる顧客や、短時間で自分の判断に基づいて商品選択を行いたい顧客のために、顧客自身が、棚から化粧品を選択して購入する方式（セルフ方式）が提案され、コンビニエンスストア等で実施されている。
【０００３】
そして、上記カウンセリング方式にしろ、セルフ方式にしろ、化粧品販売店の店頭には、大量のテスター（試供品）が用意されており、顧客は、販売員とやりとりしながら、あるいは自分自身で選択しながら、上記テスターを自分の肌に塗布し、その色や塗布具合を確かめた上で、化粧品購入を決定することが多い。
【０００４】
【発明が解決しようとする課題】
しかしながら、ファンデーションや口紅等の化粧料テスターが豊富に揃っているのに対し、フェイスブラシや育毛ブラシといった美容のための道具類（以下「美容具」という）は、通常、店頭でテスターが置かれることはなく、その試用ができないようになっている。このため、これらの美容具が、従来のものに比べて非常に優れた使用感を備えていても、顧客は、その効果を、店頭で試して実感することができず、店頭でのアピール力が弱いものであった。
【０００５】
そこで、フェイスブラシ等の美容具の実物を、テスターとして店頭に陳列することが検討されているが、美容具テスターを単品でそのまま置くと印象が弱く、また、他の陳列物との関係において雑然とした印象を与えやすいという問題がある。しかも、美容具テスターは、実際に使用して初めてその効果を実感できるものであるため、実際の使用に準じて、何らかの補助具が必要となる場合が多い（例えばフェイスブラシであれば、洗顔のための洗面器や水，洗顔料等）が、テスターを試用するたびに、それらをいちいち店員が用意するのでは、店員にとっても顧客にとっても手間がかかり、好ましくない。
【０００６】
本発明は、このような事情に鑑みなされたもので、テスターであるフェイスブラシと、その使用に必要なボウルを、一まとまりとしてバランスよく陳列し、しかもその陳列状態を保ったまま移動させることができる、使い勝手のよいテスター陳列ツールの提供をその目的とする。
【０００７】
【課題を解決するための手段】
上記の目的を達成するため、本発明は、テスターであるフェイスブラシとその試用に必要なボウルを一まとまりで陳列するツールであって、水平面部と、上記水平面部の奥端縁から上方に延びる起立面部とを備え、下記のフェイスブラシ（Ａ）が、下記の専用の保持ケース（Ｂ）内に着脱自在に保持された状態で、上記ボウルとともに、上記水平面部に所定の配置で載置されており、上記起立面部に、上記フェイスブラシ（Ａ）にかかる商品広告表示がなされているテスター陳列ツールをその要旨とする。
（Ａ）ブラシ毛が植設されたブラシ台部と、根元が細く形成された把手部とを備えたフェイスブラシ。
（Ｂ）有底有天角筒体のプラスチック製ケースであって、手前側面が切り欠かれて開放されており、天井面と底面のそれぞれに、上記手前側面の切欠き部とつながる切欠き穴が設けられ、上記フェイスブラシ（Ａ）の把手部の細径部分を、上記天井面の切欠き穴に横から嵌め込んで係合させることにより、フェイスブラシ（Ａ）を、そのブラシ毛部を宙に浮かせた状態で、下向きに保持できるようになっている保持ケース。
【０００８】
【発明の実施の形態】
つぎに、本発明の実施の形態について説明する。
【０００９】
図１は、本発明を、フェイスブラシのテスター陳列に適用した一実施の形態を示している。
【００１０】
このテスター陳列ツール１は、フェイスブラシ（テスター）２と、フェイスブラシ２の試用に必要な水を入れるためのボウル３とを一まとまりで陳列するようになっており、これら２，３を載せるための水平面部４と、その奥端縁から垂直に起立して上方に延びる起立面部５とで構成された基台６が設けられている。
【００１１】
上記基台６は、厚み約２ｍｍの表面コーティング紙で形成されており、その水平面部４の手前側に、厚紙製のＰＯＰシート７が、底部の折り返し片（隠れて見えない）を水平面部４に貼着して取り付けられている。そして、上記ＰＯＰシート７の正面７ａには、このフェイスブラシ２の販売促進用として準備されたマスコットキャラクターである、犬を模した人形の写真８と、「手よりしっかり洗えるから、洗顔効果がアップするんだよ。」という効果の説明文９が表示されている。
【００１２】
また、上記基台６の水平面部４の上に載置されるフェイスブラシ２は、そのまま載置されるのではなく、専用の保持ケース２０に保持された状態で載置されるようになっている。すなわち、上記フェイスブラシ２は、図２に示すように、ブラシ毛１０が植設されたブラシ台部１１と、把手部１２とを備えており、上記把手部１２の根元が細く形成されている。一方、保持ケース２０は、プラスチック製で、有底有天角筒体の手前側面が切り欠かれて開放された特殊な形状になっており、天井面２０ａと底面２０ｂに、切欠き穴２１が設けられている。そして、上記フェイスブラシ２の把手部１２の細径部分１２ａを、上記保持ケース２０の天井面２０ａの切欠き穴２１に横から嵌め込んで、把手部１２を切欠き穴２１の周縁部に係合させることにより、フェイスブラシ２が下向き保持されるようになっている。
【００１３】
フェイスブラシ２をこのように保持すると、肌に当てて使用するブラシ毛１０を宙に浮かせた状態で保持することができるため、ブラシ毛１０を常に清浄に保つことができる。
【００１４】
また、上記フェイスブラシ２の隣に載置されるボウル３は、どのようなものであってもよいが、例えば容積２００〜５００ミリリットル程度のプラスチック製ボウルが好適に用いられる。このボウル３は、上記フェイスブラシ２の試用時に、泡立てた洗顔料を洗い流すのに用いられる。
【００１５】
一方、基台６の起立面部５（図１にもどる）を利用して、このフェイスブラシ２にかかる商品広告がなされている。すなわち、起立面部５の最上部に、前記ＰＯＰシート７に表示されたものと同様のマスコットキャラクターの写真８と、楕円枠３０で囲われた「フェイスブラシを使って、楽しく、健康的に洗顔しましょ。」の見出し３１が表示されている。なお、見出し３１のうち、「フェイスブラシ」の文字が目立つように大きく表示されている。
【００１６】
また、その下の中央部には、洗顔中の女性を模したイラストを切り抜いて形成された厚紙製の人形３２と、その女性が映った洗面台を模したイラストを切り抜いて形成された厚紙製の書き割り３３が、起立面部５の少し手前側に、垂直に立てられた状態で取り付けられている。そして、その後ろの起立面部５には、背景として、歯磨きチューブや歯ブラシを立てたコップ等が置かれた棚や、タオル掛け等が描かれている。したがって、基台６の上全体が、洗面所を模した小さな舞台のように設定されている。なお、上記洗顔中の女性の人形３２は、右腕の部分３２ａが別体で構成されており、人形３２の裏面側に設けられた駆動手段によって左右に小さく振動するようになっている。この振動により、人形３２が、あたかも実際に洗顔を行っているかのように見える。
【００１７】
なお、起立面部５の右上には、「たっぷり泡立って、汚れ落ちもアップするよ！」、「やさしいタッチで気持ちよく洗えるよ！」、「立てておけるから、清潔に使えるよ！」といった、フェイスブラシ２の効果をアピールする文３４が、縦書きで箇条書きに表示されている。
【００１８】
また、起立面部５の左下には、上記イラストの女性についてのキャラクター説明３５と、前記キャラクター犬（人形）についてもキャラクター説明３６が表示されている。
【００１９】
上記テスター陳列ツール１によれば、試用時に同時に用いるフェイスブラシ２とボウル３を、一まとまりとして陳列保持することができるため、他の陳列品とのバランスや使い勝手等を考慮して、随時、テスター陳列ツール１全体を、適宜の位置に移動させることができる。そして、テスター陳列ツール１の起立面部５が、洗顔する女性（イラスト）の人形３２を中心として、あたかも小さな舞台のように設定されているため、「洗顔」という概念が強くアピールされ、非常に印象的な宣伝広告となっている。
【００２０】
しかも、テスターであるフェイスブラシ２が、特殊な保持ケース２０によって、ブラシ毛１０の部分を宙に浮かせた状態で陳列されているため、この部分に埃等が付くことがなく、清浄に保たれるという利点を有する。
【００２１】
ちなみに、上記テスター陳列ツール１は、例えばつぎのようにして用いることができる。すなわち、まず、このツール１を、洗顔料サンプルが陳列もしくは載置された陳列棚の近傍に設置する。また、ボウル３の向かって右隣には、水を充填したペットボトル（水噴射用ノズル付）と、拭き取り用のコットンを用意する。そして、来店した顧客に、店員が、上記フェイスブラシ２の効果を説明した上で、フェイスブラシ２の試用を勧めるか、あるいは顧客が自分自身で上記フェイスブラシ２を試用する。試用の手順は、まず、洗顔料を手の甲に少量取り、フェイスブラシ２をペットボトルの水で濡らして手に当てて擦り、手の甲の洗顔料を泡立てたのち、ボウル３上で、ペットボトルの水を使って洗い流す。これにより、フェイスブラシ２による良好な泡立ち感、洗浄感を実感することができる。
【００２２】
なお、試用に用いたフェイスブラシ２は、清浄に洗い、乾燥した上で、再度テスターとして陳列する。したがって、常時、テスター用のフェイスブラシ２を多数本用意しておき、順次交換して用いるようにすることが好ましい。
【００２３】
また、上記の例では、基台６において、起立面部５に商品に関する宣伝広告を表示するだけでなく、その手前に、厚紙製の人形３２と書き割り３３を立てることにより、基台６上をあたかも舞台のように設定しているが、これは、印象的な視覚効果を狙ったもので、必ずしも必要ではなく、起立面部５への印刷表示のみで充分である。同様の趣旨から、水平面部４に取り付けられたＰＯＰシート７も、必ずしも必要ではない。
【００２４】
さらに、上記の例では、フェイスブラシ２とボウル３とを組み合わせて陳列しているが、組み合わせは、これに限るものではなく、ボウル３に加えて、例えば洗浄用のペットボトルや拭き取り用のコットン等を、基台６の水平面部４上に、一括して載置するようにしてもよい。ただし、あまり多くのものを載置すると、全体としてのまとまりに欠けた陳列態様となり、印象が弱くなりやすいため、その陳列には配慮を要する。
【００２５】
また、フェイスブラシ２やボウル３等を、適正な位置に置くために、例えば基台６の水平面部４を二重底にして、上側の面に、位置決め用の穴や切欠きを形成するようにしてもよい。このようにすると、顧客がフェイスブラシ２等を手にとった後、元の場所に簡単に置くことができる。
【００２６】
そして、上記の例では、フェイスブラシ２を特殊な保持ケース２０に保持させて陳列することにより、直接肌に触れるブラシ毛部を下向きにして、その部分を清浄に保つようにしている。この構成によれば、フェイスブラシ２を使用して洗浄したのち、乾燥させながら陳列することができるため、フェイスブラシ２の回転効率がよい。
【００２７】
【発明の効果】
以上のように、本発明のテスター陳列ツールによれば、試用時に同時に用いるフェイスブラシとボウルとを一まとまりとして陳列保持しているため、随時、テスター陳列ツール全体を、適宜の位置に移動させることにより、他の陳列品とのバランスや使い勝手に優れた陳列を即座に実現することができる。しかも、上記フェイスブラシを、特殊な構造の保持ケース内に係合させて陳列することにより、直接肌に当たるブラシ毛の部分を、宙に浮かせた状態で保持するとともに、その周囲を囲った状態にすることができるため、この部分が湿ったままで不衛生になったり、埃が溜まったりすることがなく、清浄に保たれるという利点を有する。
【図面の簡単な説明】
【図１】  本発明の一実施例を示す斜視図である。
【図２】  上記実施例におけるフェイスブラシの陳列態様の詳細説明図である。
【符号の説明】
１  テスター陳列ツール
２  フェイスブラシ
３  ボウル
４  水平面部
５  起立面部
２０  保持ケース
【図１】
0003703352.tif 000002
【図２】
0003703352.tif 000003